(57)【要約】  【解決手段】  本体部の正面には結合部が設けられる。フェース板部には金属基材と少なくとも一個の軽質強化材が設けられる。金属基材によりフェース板部の基本構造を構成し、金属基材には少なくとも一個の凹欠溝が設けられることにより、軽質強化材と結合することができる。フェース板部は軽質強化材によって重量を相対的に減らし、さらにヘッドの全体の重心位置を後方および下方へ調整するのに役立つように構成されている。  【効果】  金属基材と少なくとも一個の軽質強化材を複合してフェース板部を作成し、金属基材がフェース板部の基本構造を構成し、軽質強化材が実質的に金属基材に結合されるため、フェース板部の打球の性能に影響を与えない状態でフェース板部の重量を減らし、ヘッドの全体の重心位置を後、下方へ調整するのに役立ち、重心調整の自由度を増やすと共に、全体の打球性能を高めることができる。【選択図】    図１
2007006984.tif 000002
【特許請求の範囲】
【請求項１】
本体部（１０）、フェース板部（２０）および少なくとも一個の軽質強化材（２２）により構成される低重心のゴルフクラブヘッド構造であって、本体部（１０）の正面には結合部（１２）が設けられ、フェース板部（２０）には金属基材（２１）が設けられ、金属基材（２１）によりフェース板部（２０）の基本構造を構成し、金属基材（２１）には少なくとも一個の凹欠溝（２１１）が設けられ、軽質強化材（２２）は金属基材（２１）の凹欠溝（２１１）の内部に結合されることにより、フェース板部（２０）の重量を相対的に減らし、さらにヘッドの全体の重心位置を後方および下方へ調整するのに役立つことを特徴とする低重心のゴルフクラブヘッド構造。
【請求項２】
本体部（１０）の後底部には他に組立口（１４）が凹むように設けられることにより、重り（３０）と結合することができ、重り（３０）の比重は実質的に本体部（１０）の比重より大きくなるように形成されることを特徴とする請求項１記載の低重心のゴルフクラブヘッド構造。
【請求項３】
フェース板部（２０）の金属基材（２１）は高弾性変形の係数を有し、そして比重が本体部（１０）より低い金属、合金材質から選択することを特徴とする請求項１記載の低重心のゴルフクラブヘッド構造。
【請求項４】
フェース板部（２０）の金属基材（２１）はチタン合金、フェロ−マンガン−アルミ合金、アルミ合金、マグネシウム合金から選択することを特徴とする請求項３記載の低重心のゴルフクラブヘッド構造。
【請求項５】
フェース板部（２０）の軽質強化材（２２）と金属基材（２１）との比重の差異は1.5以上であることを特徴とする請求項１記載の低重心のゴルフクラブヘッド構造。
【請求項６】
フェース板部（２０）の軽質強化材（２２）はアルミ、アルミ合金、マグネシウム合金、炭素繊維、ケブラー繊維、熱塑性弾性体、ゴム、ポリウレタン、ポリオレフィン、エポキシ樹脂、高分子化合材料から選択することを特徴とする請求項５記載の低重心のゴルフクラブヘッド構造。
【請求項７】
フェース板部（２０）の金属基材（２１）は正面から凹欠溝（２１１）が凹むように設けられることにより、軽質強化材（２２）と結合することができることを特徴とする請求項１記載の低重心のゴルフクラブヘッド構造。
【請求項８】
フェース板部（２０）の金属基材（２１）は背面から凹欠溝（２１１）が凹むように設けられることにより、軽質強化材（２２）と結合することを特徴とする請求項１記載の低重心のゴルフクラブヘッド構造。
【請求項９】
フェース板部（２０）の金属基材（２１）は他に周縁から後方へ折り曲げて少なくとも一個の環状壁（２３）が形成され、フェース板部（２０）の断面は略Ｕ字形に形成されることにより、弾性変形の能力を増やすことを特徴とする請求項１記載の低重心のゴルフクラブヘッド構造。
【請求項１０】
金属基材（２１）の凹欠溝（２１１）は複数個の貫通孔（２１３）により金属基材（２１）の正面と背面を連通するように形成されることを特徴とする請求項１記載の低重心のゴルフクラブヘッド構造。
【請求項１１】
金属基材（２１）の凹欠溝（２１１）は他に溝内において少なくとも一個の肩部（２１２）が形成され、肩部（２１２）は正面に向くように形成されることにより、金属基材（２１）と軽質強化材（２２）との結合の信頼性を増やすことを特徴とする請求項１０記載の低重心のゴルフクラブヘッド構造。
【請求項１２】
金属基材（２１）の凹欠溝（２１１）は他に溝内において少なくとも一個の肩部（２１２）が形成され、肩部（２１２）は背面に向くように形成されることにより、金属基材（２１）と軽質強化材（２２）との結合の信頼性を増やすことを特徴とする請求項１０記載の低重心のゴルフクラブヘッド構造。
【請求項１３】
金属基材（２１）の正面および背面においてそれぞれ複数個の凹欠溝（２１１、２１１’）が形成され、さらに上記正面および背面に形成された凹欠溝（２１１、２１１’）は交錯に排列されることにより、金属基材（２１）の弾性変形の能力を高めることを特徴とする請求項１記載の低重心のゴルフクラブヘッド構造。
【請求項１４】
金属基材（２１）の肉厚の断面の方向上において、上記正面の凹欠溝（２１１）は背面に向かって上記背面の隣接する二個の凹欠溝（２１１’）の間まで延伸しないように形成されることを特徴とする請求項１３記載の低重心のゴルフクラブヘッド構造。
【請求項１５】
金属基材（２１）の肉厚の断面の方向上において、上記正面の凹欠溝（２１１）は背面に向かって上記背面の隣接する二個の凹欠溝（２１１’）の間まで延伸するように形成されることを特徴とする請求項１３記載の低重心のゴルフクラブヘッド構造。
【発明の詳細な説明】
【技術分野】
【０００１】
本発明は、低重心のゴルフクラブヘッド構造に関するもので、特に金属基材と少なくとも一個の軽質強化材を利用してフェース板部を複合して作成することにより、フェース板部の重量を減らし、さらにヘッド全体の重心を調整できる構造に係るものである。
【背景技術】
【０００２】
従来のゴルフクラブヘッド構造としては、主に本体部、フェース板部および重りが含まれる。上記本体部には他にホーゼルと組立口が設けられる。上記ホーゼルは選択的に一体成形または組合せの方式により上記本体部の一方に形成される。上記組立口は実質的に上記本体部の背面の底部に凹むように設けられることにより、上記重りと嵌設して結合することができる。上記フェース板部も選択的に一体成形または組合せの方式により上記本体部の正面に形成される。上記重りの材質の比重は上記本体部の材質の比重より大きくなるように設計されるため、上記重りによりヘッドの全体の重心位置を後方および下方へ調整するのに役立つことができる。特に、上記フェース板部が離れて設置された時、上記フェース板部も低比重の材質を選択して使用することができるため、さらにヘッドの全体の重心位置を後方および下方へ調整するのに役立つことができるようにとしたものがある（例えば、特許文献１を参照）。
【特許文献１】米国特許第５，４３９，２２３号公報
【発明の開示】
【発明が解決しようとする課題】
【０００３】
上記のような従来のゴルフクラブヘッド構造においては、実際に製造上において上記本体部が使用する鋼類金属材の比重は約7.8で、そして上記重りが使用する金属材の比重は9.0より大きいもので、さらに上記フェース板部が使用する軽質金属材の比重は約4.5（例えばチタン合金）である。三者の体積と重量の比例に基づき、上記重りが貢献する重心を調整できる重心の範囲は実質的に限度がある。言い換えれば、上記フェース板部が単純に軽質金属材を選択して使用する前提の下で、相対的にヘッドの前半部の重量を顕著かつ大幅に低く抑えることにより、重心の範囲を比較的大きく調整するのを貢献するのは容易ではない。上述した要素に基づき、現在ではゴルフクラブヘッドの重心の位置をさらに低く抑えるのは極めて困難であるため、確実に上記のような従来のゴルフクラブヘッド構造をさらに改良しなければならない。
【０００４】
本発明はこのような問題点に鑑みて発明したものであって、その目的とするところは、フェース板部は金属基材および少なくとも一個の軽質強化材により複合して作成され、上記金属基材はフェース板部の基本構造を構成し、さらに上記軽質強化材は実質的に上記金属基材に結合されることにより、フェース板部の打球の性能に影響を与えない状態でフェース板部の重量を相対的に減らし、さらにヘッドの全体の重心位置を後方および下方へ調整するのに役立つため、確実に重心の調整の自由度を相対的に増やすと共に、全体の打球の性能を高めることができる低重心のゴルフクラブヘッド構造を提供しようとするものである。
【０００５】
本発明の第一の目的は、フェース板部は金属基材および少なくとも一個の軽質強化材により複合して作成されることにより、フェース板部の重量を相対的に減らし、さらにヘッドの全体の重心位置を後方および下方へ調整するのに役立つため、確実に重心の調整の自由度を相対的に増やすと共に、全体の打球の性能を高めることができる低重心のゴルフクラブヘッド構造を提供しようとするものである。
【０００６】
本発明の第二の目的は、フェース板部は金属基材および少なくとも一個の軽質強化材により複合して作成され、さらにフェース板部の金属基材は周縁から折り曲げて延伸するように環状壁が形成されるため、弾性変形の能力を高めると共に、全体の打球の性能を高めることができる低重心のゴルフクラブヘッド構造を提供しようとするものである。
【課題を解決するための手段】
【０００７】
上記目的を達成するために、本発明による低重心のゴルフクラブヘッド構造は、下記のようになるものである。すなわち、
本体部、フェース板部および少なくとも一個の軽質強化材により構成される。本体部の正面には結合部が設けられる。フェース板部には金属基材が設けられ、金属基材によりフェース板部の基本構造を構成し、金属基材には少なくとも一個の凹欠溝が設けられる。軽質強化材は金属基材の凹欠溝の内部に結合されることにより、フェース板部の重量を相対的に減らし、さらにヘッドの全体の重心位置を後方および下方へ調整するのに役立つ。
【０００８】
本発明による低重心のゴルフクラブヘッド構造は、本体部の後底部には他に組立口が凹むように設けられることにより、重りと結合することができ、重りの比重は実質的に本体部の比重より大きくなるように形成されることもできる。また、フェース板部の金属基材は高弾性変形の係数を有し、そして比重が本体部より低い金属、合金材質から選択することもできる。また、フェース板部の金属基材はチタン合金、フェロ−マンガン−アルミ合金、アルミ合金、マグネシウム合金から選択することもできる。また、フェース板部の軽質強化材と金属基材との比重の差異は1.5以上であることもできる。また、フェース板部の軽質強化材はアルミ、アルミ合金、マグネシウム合金、炭素繊維、ケブラー繊維、熱塑性弾性体、ゴム、ポリウレタン、ポリオレフィン、エポキシ樹脂、高分子化合材料から選択することもできる。また、フェース板部の金属基材は正面から凹欠溝が凹むように設けられることにより、軽質強化材と結合することもできる。また、フェース板部の金属基材は背面から凹欠溝が凹むように設けられることにより、軽質強化材と結合することもできる。また、フェース板部の金属基材は他に周縁から後方へ折り曲げて少なくとも一個の環状壁が形成され、フェース板部の断面は略Ｕ字形に形成されることにより、弾性変形の能力を増やすこともできる。また、金属基材の凹欠溝は複数個の貫通孔により金属基材の正面と背面を連通するように形成されることもできる。また、金属基材の凹欠溝は他に溝内において少なくとも一個の肩部が形成され、肩部は正面に向くように形成されることにより、金属基材と軽質強化材との結合の信頼性を増やすこともできる。また、金属基材の凹欠溝は他に溝内において少なくとも一個の肩部が形成され、肩部は背面に向くように形成されることにより、金属基材と軽質強化材との結合の信頼性を増やすこともできる。また、金属基材の正面および背面においてそれぞれ複数個の凹欠溝が形成され、さらに上記正面および背面に形成された凹欠溝は交錯に排列されることにより、金属基材の弾性変形の能力を高めることもできる。また、金属基材の肉厚の断面の方向上において、上記正面の凹欠溝は背面に向かって上記背面の隣接する二個の凹欠溝の間まで延伸しないように形成されることもできる。また、金属基材の肉厚の断面の方向上において、上記正面の凹欠溝は背面に向かって上記背面の隣接する二個の凹欠溝の間まで延伸するように形成されることもできる。
【発明の効果】
【０００９】
本発明の低重心のゴルフクラブヘッド構造によれば、フェース板部は金属基材および少なくとも一個の軽質強化材により複合して作成されることにより、フェース板部の重量を相対的に減らし、さらにヘッドの全体の重心位置を後方および下方へ調整するのに役立つため、確実に重心の調整の自由度を相対的に増やすと共に、全体の打球の性能を高めることができるという利点がある。
【００１０】
本発明の低重心のゴルフクラブヘッド構造によれば、フェース板部は金属基材および少なくとも一個の軽質強化材により複合して作成され、さらにフェース板部の金属基材は周縁から折り曲げて延伸するように環状壁が形成されるため、弾性変形の能力を高めると共に、全体の打球の性能を高めることができるという利点がある。
【発明を実施するための最良の形態】
【００１１】
本発明の実施の形態について、以下、図面を参照して説明する。
【実施例１】
【００１２】
図１、２を参照すると、本発明の実施例１の低重心のゴルフクラブヘッド構造には本体部１０、フェース板部２０および重り３０が含まれ、本体部１０、フェース板部２０および重り３０により共同でゴルフクラブヘッドを組成する。上記ゴルフクラブヘッドはアイアン型（iron）とウッド型（wood）のヘッドを例に挙げているが、ユーティリティ型（utility）またはパター型（putter）などの従来のヘッドから選択することができる。
【００１３】
再び図１、２を参照すると、本発明の実施例１の本体部１０はアイアン型のヘッドで、好ましくは適当な金属、合金材料または非金属材料から選択することができ、例えばチタン合金、ステンレス、炭素鋼、低炭素鋼、合金鋼、低合金鋼、マルエージング鋼、フェロ−マンガン−アルミ合金、鋳鉄、ニッケル基合金、構造用鋼、炭素繊維などから選択することができ、そして本体部１０は鋳造、鍛造または機械加工などの方式により製造することができる。本体部１０にはホーゼル１１、結合部１２、凹欠部１３と組立口１４が含まれる。ホーゼル１１は本体部１０の一方に形成される。結合部１２は実質的に本体部１０の正面のリップ縁の位置に設けられる。凹欠部１３は本体部１０の正面に凹むように設けられ、そして選択的に末端において開放状または封止状になるように選択することができる。また、本体部１０の後底部の体積は好ましくは上部の体積より相対的に大きくなるように設計し、そして本体部１０の後底部には組立口１４が設けられることにより、重り３０を組み立てることができるため、ヘッド全体の重心の位置を相対的に低く抑えるのに役立つことができる。
【００１４】
再び図１、２を参照すると、本発明の実施例１のフェース板２０は金属基材２１および少なくとも一個の軽質強化材２２により複合して作成される。金属基材２１は実質的にフェース板部２０の基本構造を構成し、金属基材２１は好ましくは高弾性変形の係数を有すると共に、比重が本体部１０より低い金属、合金材質から選択し、例えばチタン合金、フェロ−マンガン−アルミ合金、アルミ合金、マグネシウム合金などから選択することができる。金属基材２１は少なくとも一個の予定位置において少なくとも一個の凹欠溝２１１が凹むように設けられる。凹欠溝２１１の開口はフェース板部２０の正面に向くように形成され、凹欠溝２１１は軽質強化材２２を結合するのに用いられる。軽質強化材２２と金属基材２１との比重の差異は好ましくは1.5以上で、特に2.5以上である。このように、軽質強化材２２は好ましくはアルミ、アルミ合金、マグネシウム合金、炭素繊維、ケブラー繊維（デュポン社出品のKevlar（登録商標）ポリパラフェニレンテレフタルアミド繊維poly p-phenylene terephthalamide,PPTA）、熱塑性弾性体（thermoplastic elastomer）、ゴム（rubber）、ポリウレタン（PU）、ポリオレフィン（polyolefin）、エポキシ樹脂（epoxy）およびその他の高分子化合材料などから選択することができる。また、軽質強化材２２は選択的に射出成型の方式を利用して直接凹欠溝２１１の内部に形成することができ、または先に予備成形を選択して再び凹欠溝２１１の内部に嵌設し貼接させる。
【００１５】
再び図１、２を参照すると、本発明の実施例１の重り３０は本体部１０の比重より大きい金属、合金材質により作成され、例えばタングステン−フェロ−ニッケル合金、タングステン合金などにより作成される。重り３０は本体部１０の組立口１４の内部に嵌設されることにより、ヘッド全体の重心を低く抑えることができる。
【００１６】
再び図２を参照すると、組立時においてフェース板部２０は金属基材２１の背面のリップ縁から本体部１０の結合部１２に結合され、そして製品の需要性に応じて熔接（welding）、硬ろう付け（brazing）、嵌合圧入または貼接などの方式を選択して適当な結合を行うことができる。フェース板部２０の軽質強化材２２は選択的に正面に向くように形成される。また、重り３０は本体部１０の組立口１４の内部に嵌設される。組立を完成した後、フェース板部２０の金属基材２１によりヘッド全体の前半部の重量を軽減することができ、特にフェース板部２０の軽質強化材２２によりヘッド全体の前半部の重量をさらに軽減することができる。また、本体部１０の後底部の体積は相対的に上部の体積より大きくなるように形成されることにより、ヘッド全体の後底部の重量を増やすことができ、特に本体部１０の組立口１４に重り３０を結合することができるため、ヘッド全体の底部と後半部の重量をさらに増やすことができる。すなわち、上述した構造において軽質強化材２２によりフェース板部２０の重量を予定された比較的に低い範囲まで減少することができ、さらに重り３０により本体部１０の後底部の重量を予定された比較的高い範囲まで増やすことができるため、アイアン型ヘッド全体の重心をできるだけ最低まで抑えるのに役立つことができ、さらに全体の打球の性能を相対的に増やすことができる。
【実施例２】
【００１７】
図３を参照すると、本発明の実施例２の低重心のゴルフクラブヘッド構造が掲示される。実施例１と比較してみると、実施例２においてはフェース板部２０は金属基材２１の背面において少なくとも一個の凹欠溝２１１が凹むように設けられ、凹欠溝２１１は軽質強化材２２を結合するのに用いられる。上述した構造において、軽質強化材２２により同様にフェース板部２０の重量を予定された比較的に低い範囲まで減少することができ、さらに重り３０により本体部１０の後底部の重量を予定された比較的高い範囲まで増やすことができるため、ヘッド全体の重心をできるだけ最低まで抑えるのに役立つことができ、さらに全体の打球の性能を相対的に増やすことができる。
【実施例３】
【００１８】
図４を参照すると、本発明の実施例３の低重心のゴルフクラブヘッド構造が掲示される。実施例１と比較してみると、実施例３においてはフェース板部２０の金属基材２１はさらに周縁から後方へ折り曲げて少なくとも一個の環状壁２３が形成され、フェース板部２０の断面は略Ｕ字形に形成されることにより、フェース板部２０の弾性変形の能力を増やすことができる。また、金属基材２１にも同様に選択的に正面または背面において凹欠溝２１１（図２、３を参照する）が凹むように設けられ、凹欠溝２１１は軽質強化材２２を結合するのに用いられる。上述した構造において、軽質強化材２２により同様にフェース板部２０（Ｕ字形断面のフェース板）の重量を予定された比較的に低い範囲まで減少することができ、さらに重り３０により本体部１０の後底部の重量を予定された比較的高い範囲まで増やすことができるため、ヘッド全体の重心をできるだけ最低まで抑えるのに役立つことができ、さらに全体の打球の性能を相対的に増やすことができる。
【実施例４】
【００１９】
図５、６を参照すると、本発明の実施例４の低重心のゴルフクラブヘッド構造が掲示される。実施例１と比較してみると、実施例１においてはアイアン型ヘッドの領域に応用されているが、実施例４においてはウッド型ヘッドの領域に応用されており、そして同様に本体部１０、フェース板部２０および重り３０が含まれる。本体部１０にはホーゼル１１、結合部１２、凹欠部１３と組立口１４が設けられる。フェース板部２０には金属基材２１と軽質強化材２２が設けられる。また、金属基材２１には選択的に凹欠溝２１１が凹むように設けられ、凹欠溝２１１はさらに金属基材２１の正面と背面を連通するように形成される。凹欠溝２１１の内部には選択的に肩部２１２が形成され、肩部２１２は正面に向くように形成される。これにより、凹欠溝２１１により金属基材２１と軽質強化材２２との結合の信頼性を高めることができる。その他に、金属基材２１にも選択的に周縁から後方へ折り曲げて少なくとも一個の環状壁（図４を参照する）形成されることにより、フェース板部２０の断面は略Ｕ字形に形成される。上述した構造において、軽質強化材２２により同様にフェース板部２０の重量を予定された比較的に低い範囲まで減少することができ、さらに重り３０により本体部１０の後底部の重量を予定された比較的高い範囲まで増やすことができるため、ヘッド全体の重心をできるだけ最低まで抑えるのに役立つことができ、さらに全体の打球の性能を相対的に増やすことができる。
【実施例５】
【００２０】
図７を参照すると、本発明の実施例５による低重心のゴルフクラブヘッド構造が掲示される。実施例１、４と比較してみると、フェース板部２０の金属基材２１は製品の需要性に応じて各種の凹欠溝２１１の変化が形成されることにより、選択的に金属基材２１と軽質強化材２２との結合の信頼性を増やしたり、または金属基材２１の弾性変形の能力を高めたりする。
【００２１】
金属基材２１には正面と背面が形成され、金属基材２１の正面には第一凹欠溝２１１が設けられるのに対し、背面には第二凹欠溝２１１’が設けられる。そして第一凹欠溝２１１と第二凹欠溝２１１’との間には少なくとも一個の貫通孔２１３により互いに連接するように形成されることにより、軽質強化材２２を強固に結合することができる。
【実施例６】
【００２２】
図８を参照すると、本発明の実施例６による低重心のゴルフクラブヘッド構造が掲示される。実施例５と同様に、実施例１、４と比較してみると、フェース板部２０の金属基材２１は製品の需要性に応じて各種の凹欠溝２１１の変化が形成されることにより、選択的に金属基材２１と軽質強化材２２との結合の信頼性を増やしたり、または金属基材２１の弾性変形の能力を高めたりする。
【００２３】
金属基材２１の正面と背面にはそれぞれ複数個の第一凹欠溝２１１と第二凹欠溝２１１’が形成され、さらに第一凹欠溝２１１と第二凹欠溝２１１’は交錯に排列するように形成される。また、金属基材２１の肉厚の断面の方向上において、第一凹欠溝２１１は背面に向かって隣接する二個の第二凹欠溝２１１’の間まで延伸しないように形成されるため、第一凹欠溝２１１と第二凹欠溝２１１’により金属基材２１の弾性変形の能力を高めることができる。
【実施例７】
【００２４】
図９を参照すると、本発明の実施例７による低重心のゴルフクラブヘッド構造が掲示される。実施例１、４と比較してみると、本実施例においてもまた、フェース板部２０の金属基材２１は製品の需要性に応じて各種の凹欠溝２１１の変化が形成されることにより、選択的に金属基材２１と軽質強化材２２との結合の信頼性を増やしたり、または金属基材２１の弾性変形の能力を高めたりする。
【００２５】
金属基材２１の正面と背面にはそれぞれ複数個の第一凹欠溝２１１と第二凹欠溝２１１’が形成され、さらに第一凹欠溝２１１と第二凹欠溝２１１’は交錯に排列するように形成される。また、金属基材２１の肉厚の断面の方向上において、第一凹欠溝２１１は背面に向かって隣接する二個の第二凹欠溝２１１’の間まで延伸するように形成されるため、第一凹欠溝２１１と第二凹欠溝２１１’により金属基材２１の弾性変形の能力をさらに高めることができる。
【産業上の利用可能性】
【００２６】
上述の如く、従来のゴルフクラブヘッド構造によれば、重りだけを利用してヘッド全体の重心の位置を低く抑えることができ、しかし重心をさらに低く抑えることが難しいなどという問題点があったが、図１に示す本発明の低重心のゴルフクラブヘッド構造によれば、金属基材２１と軽質強化材２２を複合してフェース板部２０を作成することにより、フェース板部２０の重量を相対的に減らし、さらにヘッドの全体の重心位置を後方および下方へ調整するのに役立つため、確実に重心の調整の自由度を相対的に増やすと共に、全体の打球の性能を高めることができる。
【００２７】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２８】
【図１】本発明の実施例１の低重心のゴルフクラブヘッド構造を示す分解斜視図である。
【図２】本発明の実施例１の低重心のゴルフクラブヘッド構造を示す分解断面図である。
【図３】本発明の実施例２の低重心のゴルフクラブヘッド構造を示す分解断面図である。
【図４】本発明の実施例３の低重心のゴルフクラブヘッド構造を示す分解斜視図である。
【図５】本発明の実施例４の低重心のゴルフクラブヘッド構造を示す分解斜視図である。
【図６】本発明の実施例４の低重心のゴルフクラブヘッド構造を示す分解断面図である。
【図７】本発明の実施例５の低重心のゴルフクラブヘッド構造によるフェース板の局部断面斜視図である。
【図８】本発明の実施例６の低重心のゴルフクラブヘッド構造によるフェース板の局部断面斜視図である。
【図９】本発明の実施例７の低重心のゴルフクラブヘッド構造によるフェース板の局部断面斜視図である。
【符号の説明】
【００２９】
１０    本体部                          １１    ホーゼル
１２    結合部                          １３    凹欠部
１４    組立口                          ２０    フェース板部
２１    金属基材                      ２１１    凹欠溝
２１１’  凹欠溝                        ２１２    肩部
２１３    貫通孔                          ２２    軽質強化材
２３    環状壁                          ３０    重り
【図１】
2007006984.tif 000003
【図２】
2007006984.tif 000004
【図３】
2007006984.tif 000005
【図４】
2007006984.tif 000006
【図５】
2007006984.tif 000007
【図６】
2007006984.tif 000008
【図７】
2007006984.tif 000009
【図８】
2007006984.tif 000010
【図９】
2007006984.tif 000011